(57)【要約】【課題】収容物が落下し難く、かつ、ポケットの存在を感じさせ難い比翼ポケットを備えた上半身用衣類を提供する。【解決手段】上半身の正面側を覆う前身頃部１２と、上半身の背面側を覆う後身頃部１３とを備える上半身用衣類１であって、前身頃部１２は、正面右側を覆う右側前身頃部２２と、正面左側を覆う左側前身頃部２３と、右側前身頃部２２又は左側前身頃部２３の端縁２４ａ，２４ｂが二重に仕立てられた比翼部２６と、比翼部２６において端縁２４ａ，２４ｂに沿って概略平行に形成された開口部２７ａ、及び、端縁２４ａ，２４ｂに沿う方向Ａと交差する方向Ｂに向かって開口部２７ａから収容空間Ｓが形成された比翼ポケット２７とを備える。【選択図】図１
2018100455.tif 000002
【特許請求の範囲】
【請求項１】
上半身の正面側を覆う前身頃部と、上半身の背面側を覆う後身頃部とを備える上半身用衣類であって、
前記前身頃部は、
正面右側を覆う右側前身頃部と、
正面左側を覆う左側前身頃部と、
前記右側前身頃部又は前記左側前身頃部の端縁が二重に仕立てられた比翼部と、
前記比翼部において前記端縁に沿って概略平行に形成された開口部、及び、前記端縁に沿う方向と交差する方向に向かって当該開口部から収容空間が形成された比翼ポケットと
を備えることを特徴とする比翼ポケットを備える上半身用衣類。
【請求項２】
前記比翼ポケットは、前記開口部から底部にかけて前記収容空間が湾曲している
ことを特徴とする請求項１記載の比翼ポケットを備える上半身用衣類。
【請求項３】
前記比翼ポケットは、着用者の胸部に相当する前記右側前身頃部又は前記左側前身頃部の端縁に前記開口部が形成されている
ことを特徴とする請求項１又は２記載の比翼ポケットを備える上半身用衣類。
【請求項４】
前記比翼ポケットは、前記比翼部にのみ縫着されている
ことを特徴とする請求項１乃至３のいずれか１項記載の比翼ポケットを備える上半身用衣類。
【発明の詳細な説明】
【技術分野】
【０００１】
本発明は、物品を収容可能なポケット、特に、比翼部に設けられた比翼ポケットを備える上半身用衣類に関する。
【背景技術】
【０００２】
従来、上半身用衣類の前身頃部にポケット用布地を縫い合わせることにより、前身頃部とポケット用布地との間に収容空間が形成されたポケットを備える上半身用衣類が知られている。
【０００３】
このようなポケットには、収容空間に収容した収容物によってポケットの形が崩れるのを防止するため、ポケットの上端部を芯材で補強することにより、ボールペンなどのペン類をさしても型崩れをしないようにしたポケットが知られている（例えば、特許文献１参照）。
【先行技術文献】
【特許文献】
【０００４】
【特許文献１】特開２００５−１３９６０１号公報
【発明の概要】
【発明が解決しようとする課題】
【０００５】
しかしながら、上述した従来のポケットが取り付けられた上半身用衣類を例えば飲食店のユニフォームとして着用する場合、客の注文を書き留めるためのメモ帳やペン類等を収容空間に収容すると、ポケットの上端部が開口しているため、体を前に倒した時に収容物がポケットから落下するおそれがある。
【０００６】
また、収容空間に収容物を収容すると収容物の形に沿ってポケットが盛り上がってしまい見栄えを損なうおそれがある。このため、収容物が落下し難く、かつ、良好な見栄えを維持することができる構造のポケットが求められてきた。
【０００７】
本発明は、上記の課題に鑑みてなされたものであり、その目的は、収容物が落下し難く、ポケットの存在を感じさせ難い比翼ポケットを備えた上半身用衣類を提供することである。
【課題を解決するための手段】
【０００８】
上記目的を達成するために、本発明の比翼ポケットを備えた上半身用衣類は、上半身の正面側を覆う前身頃部と、上半身の背面側を覆う後身頃部とを備える上半身用衣類であって、前記前身頃部は、正面右側を覆う右側前身頃部と、正面左側を覆う左側前身頃部と、前記右側前身頃部又は前記左側前身頃部の端縁が二重に仕立てられた比翼部と、前記比翼部において前記端縁に沿って概略平行に形成された開口部、及び、前記端縁に沿う方向と交差する方向に向かって当該開口部から収容空間が形成された比翼ポケットとを備えることを特徴とする。
【０００９】
本発明に係る比翼ポケットを備えた上半身用衣類において、前記比翼ポケットは、前記開口部から底部にかけて前記収容空間が湾曲していることを特徴とする。
【００１０】
本発明に係る比翼ポケットを備えた上半身用衣類において、前記比翼ポケットは、着用者の胸部に相当する前記右側前身頃部又は前記左側前身頃部の端縁に前記開口部が形成されていることを特徴とする。
【００１１】
本発明に係る比翼ポケットを備えた上半身用衣類において、前記比翼ポケットは、前記比翼部にのみ縫着されていることを特徴とする。
【発明の効果】
【００１２】
本発明によれば、収容物が落下し難く、かつ、ポケットの存在を感じさせ難い比翼ポケットを備えた上半身用衣類を提供することができる。
【図面の簡単な説明】
【００１３】
【図１】本発明の実施の形態に係る上半身用衣類の全体構成を示す斜視図である。
【図２】図１に示す上半身用衣類の正面図である。
【図３】図１に示す上半身用衣類の背面図である。
【図４】図１に示す上半身用衣類の左側前身頃部を左側へ開いた状態を示す正面図である。
【図５】図４に示す比翼部に設けられた比翼ポケットの拡大図であり、図５（ａ）は、図４に示す見返し部側から見た比翼ポケットの拡大図であり、図５（ｂ）は、図４に示す左側前身頃部側から見た比翼ポケットの表面側拡大図である。
【図６】図４に示す比翼ポケットの開口部を開いた状態で示す部分拡大斜視図である。
【発明を実施するための形態】
【００１４】
以下、本発明の実施の形態について、図面を参照しながら具体的に説明する。
【００１５】
［上半身用衣類の全体構成］
はじめに、図１から図４を参照して、本発明の実施の形態に係る上半身用衣類１の全体構成について説明する。図１は、本発明の実施の形態に係る上半身用衣類１の全体構成を示す斜視図である。図２は、図１に示す上半身用衣類１の正面図である。図３は、図１に示す上半身用衣類１の背面図である。図４は、図１に示す上半身用衣類１の左側前身頃部２３を左側へ開いた状態を示す正面図である。
【００１６】
図１乃至図４に示すように、上半身用衣類１は、例えば飲食店のユニフォームとして上半身に着用する所謂はっぴ型の衣類である。この上半身用衣類１は、着用者の上半身の正面側を覆う前身頃部１２と、着用者の上半身の背面側を覆う後身頃部１３と、着用者の右腕又は左腕を覆う一対の袖部１４ａ，１４ｂと、着用者の首周りに位置する襟部１５とを備えている。
【００１７】
図２に示すように、前身頃部１２は、着用者の前面右側を覆う右側前身頃部２２と、着用者の前面左側を覆う左側前身頃部２３とを備えている。
【００１８】
また、前身頃部１２は、着用者の前面において、右側前身頃部２２の端縁２４ａと左側前身頃部２３の端縁２４ｂとが重なり合う部分である打ち合わせ部２５を有している。具体的には、打ち合わせ部２５は、着用者の胸部から右側前身頃部２２の下端２２ｂ及び左側前身頃部２３の下端２３ｂにかけて、右側前身頃部２２の端縁２４ａの上に左側前身頃部２３の端縁２４ｂが重なり合う部分である。
【００１９】
図２及び図４に示すように、右側前身頃部２２に縫い付けられたボタン１６ａ，１６ｂを、左側前身頃部２３に形成されたボタンホール１７ａ，１７ｂにそれぞれ挿入して掛け止めることにより、端縁２４ａと端縁２４ｂとの重なりがずれることなく維持される。
【００２０】
さらに、前身頃部１２は、左側前身頃部２３の端縁２４ｂが二重に仕立てられた比翼部２６と、その比翼部２６に設けられた比翼ポケット２７とを有している（後述する図６参照）。
【００２１】
比翼部２６は、上前となる左側前身頃部２３の端縁２４ｂを二重にし、ボタン１６ｂ及びボタンホール１７ｂの存在を外側から感じさせることがないように形成されている。具体的には、左側前身頃部２３と、端縁２４ｂの裏面側に設けられた見返し部１８との間に２枚の比翼布１９ａ，１９ｂを挟みこんだ状態で左側前身頃部２３及び見返し部１８と一体に縫い付けることにより、外側にボタン１６ｂ及びボタンホール１７ｂによる膨らみが目立たないように形成している（後述する図６参照）。
【００２２】
比翼ポケット２７は、後述するように、比翼部２６において端縁２４ｂに沿って平行に形成された開口部２７ａ（図１参照）と、開口部２７ａから端縁２４ｂに沿う方向Ａと交差する方向Ｂに向かって形成された収容空間Ｓとを有している。
【００２３】
図２及び図３に示すように、袖部１４ａは、右側前身頃部２２の袖ぐり２２ｅ及び後身頃部１３の袖ぐり１３ｅに取り付けられ、袖部１４ｂは、左側前身頃部２３の袖ぐり２３ｅ及び後身頃部１３の袖ぐり１３ｆに取り付けられている。袖部１４ａ，１４ｂは、着用者の肩近傍に位置する袖山部４１ａ，４１ｂと、着用者の手首近傍に位置する袖口部４２ａ，４２ｂとをそれぞれ有している。
【００２４】
襟部１５は、後身頃部１３の上端１３ａから袖山部４１ａを通って右側前身頃部２２の上端２２ａまで、及び、後身頃部１３の上端１３ａから袖山部４１ｂを通って左側前身頃部２３の上端２３ａまで設けられている。
【００２５】
上述した上半身用衣類１は、図３及び図４に示すように、左側前身頃部２３と後身頃部１３との間に設けられた脇紐３１ａと右側前身頃部２２の端縁２４ａに設けられた前紐３２ａとを有している。また、右側前身頃部２２と後身頃部１３との間に設けられた脇紐３１ｂと左側前身頃部２３の端縁２４ｂに設けられた前紐３２ｂとを有している。
【００２６】
そして、脇紐３１ａと前紐３２ａ、脇紐３１ｂと前紐３２ｂとをそれぞれ結ぶことにより、右側前身頃部２２と左側前身頃部２３とがずれて着用者の襟元や胸元が開く等、肌蹴るのを防止する。
【００２７】
［比翼ポケットの構成］
次に、図４乃至図６を参照して、上述したように構成された上半身用衣類１の比翼ポケット２７について説明する。図５は、図４に示す比翼部２６の設けられた比翼ポケット２７の拡大図であり、図５（ａ）は、図４に示す見返し部１８側から見た比翼ポケット２７の拡大図であり、図５（ｂ）は、図４に示す左側前身頃部２３側から見た比翼ポケット２７の拡大図である。図６は、図４に示す比翼ポケット２７の開口部２７ａを開いた状態で示す部分拡大斜視図である。
【００２８】
図４及び図６に示すように、比翼ポケット２７は、左側前身頃部２３の端縁２４ｂに沿って平行に形成された開口部２７ａと、端縁２４ｂに沿う方向Ａと交差する方向Ｂに向かって開口部２７ａから形成された収容空間Ｓとを有している。
【００２９】
開口部２７ａは、着用者の胸部に相当する左側前身頃部２３の端縁２４ｂに形成されている。換言すると、右側前身頃部２２の端縁２４ａと左側前身頃部２３の端縁２４ｂとの交点Ｃから所定の長さＤ（図２参照）だけ下方の位置に所定の開口幅Ｅを持つ開口部２７ａが形成されている。ここで、所定の長さＤは、約７ｃｍ以上１９ｃｍ以下であることが好ましく、例えば、上半身用衣類１がＳＳサイズの場合は約１０ｃｍ、９Ｌサイズの場合は約１６ｃｍであることが好ましい。
【００３０】
また、図５（ａ）に示すように、開口部２７ａ（図６参照）の左側前身頃部２３の端縁２４ｂに沿う長さである開口幅Ｅは、開口部２７ａから収容空間Ｓに収容された収容物を容易に取り出すことが可能な長さであり、成人の手の幅より長いことが好ましい。一方で、収容空間Ｓに大きい収容物が収容されないようにするため、長さＥは、上半身用衣類１のサイズがＳＳサイズから９Ｌサイズまで共通して約１０ｃｍ以上１６ｃｍ以下であることが好ましく、特に、約１４ｃｍであることが好ましい。
【００３１】
図５（ａ）及び図５（ｂ）に示すように、比翼ポケット２７は、左側前身頃部２３と、端縁２４ｂの裏面側に設けられた見返し部１８との間に設けられた２枚の比翼布１９ａ，１９ｂを挟みこんだ状態で左側前身頃部２３及び見返し部１８と一体に縫い付けることにより、収容物を収容する収容空間Ｓを形成している。具体的には、比翼布１９ａ，１９ｂが左側前身頃部２３の端縁２４ｂに沿う方向Ａに交差する方向Ｂ（図４参照）に端縁２４ｂから延びるように設けられることにより収容空間Ｓが形成されている。
【００３２】
また、比翼ポケット２７は、湾曲した側部２７ｂ，２７ｃを備えることにより、開口部２７ａから底部２７ｄにかけて湾曲した収容空間Ｓを有している。具体的には、側部２７ｂは、直線部分２９ａと曲線部分２９ｂとを有し、側部２７ｃは、曲直線部分２９ｃと曲線部分２９ｄと、側部２７ｂ，２７ｃの間に位置する底部２７ｄとを有している。
【００３３】
収容空間Ｓの湾曲形状は、着用者の手を開口部２７ａから挿入した際、手が概略水平から概略垂直に下降するように湾曲した形状であることが好ましく、より具体的には、開口部２７ａから着用者の胸骨近傍で下降し、底部２７ｄが着用者の鳩尾近傍に位置するように湾曲している形状が好ましい。このため、側部２７ｂの曲線部分２９ｂの半径Ｆの大きさは、約８ｃｍ以上１５ｃｍ以下であることが好ましく、例えば、上半身用衣類１がＳＳサイズの場合は約１２ｃｍ、９Ｌサイズの場合は約１２．５ｃｍであることが好ましい。また、側部２７ｃの曲線部分２９ｄの半径Ｇの大きさは、約６ｃｍ以上１２ｃｍ以下であることが好ましく、例えば、上半身用衣類１がＳＳサイズの場合は約９．２ｃｍ、９Ｌサイズの場合は約８．７ｃｍであることが好ましい。特に半径Ｇの大きさは、上半身用衣類１のサイズが小さいほど半径Ｇの大きさを大きく、サイズが大きいほど半径Ｇの大きさを小さくすることが好ましい。すなわち、上半身用衣類１のサイズが異なると見返し部１８の幅が異なるため、上半身用衣類１のサイズが小さいほど端縁２４ｂの傾斜を急にし、サイズが大きいほど端縁２４ｂの傾斜を緩やかにすることにより、着用者の体型によって曲線部分２９ｄの位置が異ならないようにしている。
【００３４】
なお、側部２７ｂと側部２７ｃとが概略並行となる部分の幅Ｈは、上半身用衣類１のサイズがＳＳサイズから９Ｌサイズまで共通して約１０ｃｍ以上１６ｃｍ以下であることが好ましく、特に約１３ｃｍであることが好ましい。また、幅Ｈに直交する高さＩの長さは、上半身用衣類１のサイズがＳＳサイズから９Ｌサイズまで共通して約２２ｃｍ以上２８ｃｍ以下であることが好ましく、約２３．５ｃｍであることが好ましい。
【００３５】
そして、比翼ポケット２７は、比翼部２６にのみ縫着されている。具体的には、図５（ｂ）に示すように、２枚の比翼布１９ａ，１９ｂの全体は、左側前身頃部２３には縫着されておらず、側部２７ｂと見返し部１８との縫着部２０ａと、側部２７ｃと見返し部１８との縫着部２０ｂの２箇所で縫着されている。
【００３６】
また、図４に示すように、比翼ポケット２７は、見返し部１８の端縁２４ｂに沿う最縁１８ａｘに対して、比翼布１９ａの開口部２７ａを形成する最縁１９ａｘが縫い付けられている。このため、外側から比翼ポケット２７の開口部２７ａが認識し難く、比翼ポケット２７を上半身用衣類１における隠しポケットとすることができる。
【００３７】
さらに、比翼ポケット２７は、左側前身頃部２３の端縁２４ｂに沿う最縁２４ｂｘに対して、比翼布１９ｂの開口部２７ａを形成する最縁１９ｂｘが縫い付けられている（図２参照）。このため、端縁２４ｂ及び見返し部１８にボールペンなどのペン類を差し込むことが可能である。また、上述したように、開口部２７ａが左側前身頃部２３の端縁２４ｂに沿って平行に形成されているため、着用者が体を前に倒した時に差し込んだペン類が落下し難い。
【００３８】
そして、上述したように、比翼ポケット２７は比翼部２６に設けられているため、図６に示すように、ボタン１６ｂをボタンホール１７ｂに挿入して掛け止めた状態で収容空間Ｓに収容物を出し入れすることができる。
【００３９】
＜作用効果＞
以上のような上半身用衣類１は、上半身の正面側を覆う前身頃部１２と、上半身の背面側を覆う後身頃部１３とを備える上半身用衣類１であって、前身頃部１２は、正面右側を覆う右側前身頃部２２と、正面左側を覆う左側前身頃部２３と、右側前身頃部２２又は左側前身頃部２３の端縁２４ａ，２４ｂが二重に仕立てられた比翼部２６と、比翼部２６において端縁２４ａ，２４ｂに沿って概略平行に形成された開口部２７ａ、及び、端縁２４ａ，２４ｂに沿う方向Ａと交差する方向Ｂに向かって開口部２７ａから収容空間Ｓが形成された比翼ポケット２７とを備える。
【００４０】
従来のポケットは、上端が上方に開口しているため、着用者が体を前に倒した時にポケット内の収容物が落下するおそれがある。しかしながら、上述した比翼ポケット２７は、開口部２７ａが端縁２４ｂに沿って概略平行に形成されているため、収容空間Ｓ内の収容物を落下し難くすることができる。すなわち、比翼ポケット２７の開口部２７ａは、上方に開口しておらず、概略水平方向に開口しているため、着用者が体を前に倒した時でも収容物が落下し難くすることができる。
【００４１】
また、開口部２７ａが二重に仕立てられた比翼部２６の端縁２４ｂに形成されており、端縁２４ｂに沿う方向Ａと交差する方向Ｂに向かって開口部２７ａから収容空間Ｓが形成されている。このため、上半身用衣類１にポケットが設けられていることが外側から分かり難くすることができる。従って、収容物が落下し難く、かつ、ポケットの存在を感じさせることのない比翼ポケット２７を備える上半身用衣類１を提供することができる。
【００４２】
さらに、上半身用衣類１の比翼ポケット２７は、開口部２７ａから底部２７ｄにかけて収容空間Ｓが湾曲しているため、収容空間Ｓ内の収容物を落下し難くすることができる。また、収容空間Ｓは、開口部２７ａから着用者の胸骨近傍で下降し、底部２７ｄが着用者の鳩尾近傍に位置するように湾曲した形状であるため、特に着用者が女性の場合、手が胸に触れることなく収容物を出し入れすることができる。さらに、底部２７ｄが着用者の鳩尾近傍に位置することにより、収容空間Ｓの収容物による膨らみが外側から目立たなくすることができる。
【００４３】
また、上半身用衣類１の比翼ポケット２７は、着用者の胸部に相当する右側前身頃部２２又は左側前身頃部２３の端縁２４ａ，２４ｂに開口部２７ａが形成されている。具体的には、右側前身頃部２２の端縁２４ａと左側前身頃部２３の端縁２４ｂとの交点Ｃから所定の長さＤだけ下方の位置に開口部２７ａが形成されている。このように、交点Ｃから所定の長さＤだけ下方の位置に開口部２７ａを形成することにより、開口部２７ａの位置を着用者の手を挿入し易い位置にすることができる。
【００４４】
さらに、上半身用衣類１の比翼ポケット２７は、比翼部２６にのみ縫着されている。具体的には、２枚の比翼布１９ａ，１９ｂは、左側前身頃部２３には縫着されていないため、縫い目が左側前身頃部２３に現れない。このため、上半身用衣類１にポケットが設けられていることが外側から分かり難く、比翼ポケット２７が上半身用衣類１における隠しポケットとすることができる。
【００４５】
また、比翼ポケット２７は、縫着部２０ａと縫着部２０ｂとの２箇所で見返し部１８に縫着されているため、前身頃部に縫着されているポケットよりも収容空間Ｓを裏返し易くなり、比翼ポケット２７の底部２７ｄに溜まった塵埃や小物等を取り出し易くすることができる。
【００４６】
［他の実施の形態］
なお、上述した実施の形態においては、上半身用衣類１は、はっぴ型である場合について説明したが、上半身用衣類はシャツ型等の他の型であってもよい。
【００４７】
また、上述した実施の形態においては、左側前身頃部２３の端縁２４ｂが二重に仕立てている場合について説明したが、右側前身頃部２２の端縁２４ａが二重に仕立てられていてもよい。
【００４８】
さらに、上述した実施の形態においては、比翼ポケット２７は左側前身頃部２３の端縁２４ｂに設けられている場合について説明したが、右側前身頃部２２の端縁２４ａに設けられていてもよい。
【００４９】
また、上述した実施の形態においては、開口部２７ａの左側前身頃部２３の端縁２４ｂに沿う長さＥは、約１０ｃｍ以上１６ｃｍ以下である場合について説明したが、開口部２７ａの長さＥは適宜変更が可能である。例えば、飲食店で使用する客のオーダを受け付ける機器が入る大きさに基づいて長さＥを設定してもよい。
【００５０】
さらに、上述した実施の形態においては、収容空間Ｓの湾曲形状は、着用者の手を開口部２７ａから挿入した際、手が概略水平から概略垂直に下降するように湾曲した形状、より具体的には、開口部２７ａから着用者の胸骨近傍で下降し、底部２７ｄが着用者の鳩尾近傍に位置するように湾曲している形状である場合について説明したが、湾曲形状は適宜変更が可能である。例えば、飲食店で使用する客のオーダを受け付ける機器が収容空間Ｓに収容可能な大きさに基づいて湾曲形状を設定してもよい。詳細には、縦長の機器が開口部２７ａへ概略水平に挿入され、さらに挿入されると概略垂直に下降し、収容空間Ｓ内に機器が縦に収容可能に湾曲形状を設定してもよい。
【００５１】
また、上述した実施の形態においては、側部２７ｂの曲線部分２９ｂの半径Ｆの大きさと、側部２７ｃの曲線部分２９ｄの半径Ｇの大きさが異なる場合について説明したが、同じ大きさであってもよい。
【００５２】
また、上述した実施の形態においては、比翼ポケット２７は、見返し部１８に縫着部２０ａ，２０ｂの２箇所で縫着されている場合について説明したが、縫着されている数は適宜変更が可能である。しかしながら、着用者の動きによって比翼ポケット２７が前後及び左右に移動するのを抑制するため、比翼ポケット２７は、１以上の箇所で見返し部１８に縫着されていることが好ましい。
【００５３】
以上、本発明の好適な実施の形態について説明したが、本発明は上記の実施の形態に係る上半身用衣類１に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における各構成要素の形状、材料、配置、サイズ等は、本発明の具体的使用態様によって適宜変更され得る。
【符号の説明】
【００５４】
１  上半身用衣類
１２  前身頃部
１３  後身頃部
１４ａ  袖部
１４ｂ  袖部
１５  襟部
１６ａ  ボタン
１６ｂ  ボタン
１７ａ  ボタンホール
１７ｂ  ボタンホール
１８  見返し部
１９ａ  比翼布
１９ｂ  比翼布
２０ａ  縫着部
２０ｂ  縫着部
２２  右側前身頃部
２３  左側前身頃部
２４ａ  端縁
２４ｂ  端縁
２６  比翼部
２７  比翼ポケット
２７ａ  開口部
【図１】
2018100455.tif 000003
【図２】
2018100455.tif 000004
【図３】
2018100455.tif 000005
【図４】
2018100455.tif 000006
【図５】
2018100455.tif 000007
【図６】
2018100455.tif 000008
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
上半身の正面側を覆う前身頃部と、上半身の背面側を覆う後身頃部とを備えるはっぴ型の上半身用衣類であって、
前記前身頃部は、
正面右側を覆う右側前身頃部と、
正面左側を覆う左側前身頃部と、
前記右側前身頃部又は前記左側前身頃部のうち一方の前身頃部の端縁が二重に仕立てられた比翼部と、
前記比翼部において前記端縁に沿って概略平行に形成された開口部、及び、前記端縁に沿う方向と交差する方向に向かって当該開口部から収容空間が形成された比翼ポケットと
を備え、
前記前身頃部は、着用者の前面において、胸部から前記前身頃部の下端にかけて前記一方の前身頃部とは異なる他方の前身頃部の端縁の上に前記一方の前身頃部の端縁が重なり合う部分である打ち合わせ部と、前記一方の前身頃部の端縁と前記他方の前身頃部の端縁との交点近傍において、前記一方の前身頃部の端縁と前記他方の前身頃部の端縁との重なり状態を維持する第１のボタンと、前記比翼部において、前記一方の前身頃部の端縁と前記他方の前身頃部の端縁との重なり状態を維持する第２のボタンとを有し、
前記比翼ポケットは、前記一方の前身頃部の端縁と、当該一方の前身頃部の端縁の裏面側に設けられた見返し部との間に２枚の比翼布を挟みこんだ状態で前記一方の前身頃部の端縁及び前記見返し部と一体に接続されており、
前記比翼ポケットの開口部は、前記交点から７ｃｍ以上１９ｃｍ以下だけ下方の位置で、前記一方の前身頃部の端縁に沿う最縁及び前記見返し部の端縁に沿う最縁に前記２枚の比翼布の最縁が接続されることにより形成されており、
前記比翼ポケットの前記収容空間は、着用者の手を前記開口部から挿入した際、概略水平から着用者の胸骨近傍で概略垂直に下降するように湾曲し、底部が着用者の鳩尾近傍に位置する形状を有する
ことを特徴とする比翼ポケットを備える上半身用衣類。
【請求項２】
前記一方の前身頃部の端縁は、前記交点から前記他方の前身頃部側へ湾曲した後に下端へ概略垂直に下降する形状を有している
ことを特徴とする請求項１記載の比翼ポケットを備える上半身用衣類。
【請求項３】
前記比翼ポケットは、着用者の胸部に相当する前記右側前身頃部又は前記左側前身頃部の端縁に前記開口部が形成されている
ことを特徴とする請求項１又は２記載の比翼ポケットを備える上半身用衣類。
【請求項４】
前記比翼ポケットは、前記比翼部にのみ縫着されている
ことを特徴とする請求項１乃至３のいずれか１項記載の比翼ポケットを備える上半身用衣類。